(57)【要約】      （修正有）【課題】圧縮機向けのカム作動式弁は、圧縮サイクルの時間範囲の中でカム作動式弁が開放される時点および／またはカム作動式弁が開放状態にある間の時間間隔を変更するための機構が必要である。【解決手段】往復動圧縮機は、圧縮室を含む本体と、細長い部分を有しており本体の内部に配置されるとともに回転軸周りで回転し各圧縮サイクル中に回転を実行するように構成されたカムと、本体の内部に配置されるとともにカムの細長い部分による直線変位または角度変位を受けるように構成された作動用要素と、流体の圧縮室に向かう流路または圧縮室からの流路に配置されるとともに作動用要素によって開放状態に切替えられるように構成された弁と、を有する。往復動圧縮機はさらに、弁のタイミングを調整するように構成された制御機を含む。【選択図】図９
2019215005.tif 000002
【特許請求の範囲】
【請求項１】
流体を圧縮するために圧縮サイクルを実行するように構成された往復動圧縮機（９００）であって、
流体がその内部で圧縮される圧縮室（９２２）を含む本体（３１０、８１０、９１０）と、
細長い部分を有しており、前記本体（３１０、８１０）の内部に配置されるとともに回転軸（３２５、４２５、８２５）周りで回転し各圧縮サイクル中に回転を実行するように構成されたカム（３４０、４４０、８４０）と、
前記本体（３１０、８１０）の内部に配置されるとともに前記カムの前記細長い部分による直線変位または角度変位を受けるように構成された作動用要素（３６５、８６５）と、
前記流体の前記圧縮室（９２２）に向かう流路または前記圧縮室（９２２）からの流路に配置された弁（９３２）であって、前記作動用要素（３６５、８６５）によって開放状態に切替えるように構成された弁（９３２）と、
圧縮サイクル中の弁が開放される時点を調整するように構成された制御機（３３１、８３１）と、
を備える往復動圧縮機。
【請求項２】
前記カムは、前記回転軸に沿った断面において前記細長い部分の角度位置が滑らかに変化するように構成されたプロファイルを有しており、
前記制御機は、前記回転軸に沿った前記カムの移動につながる角度変位を開始させ、それにより、前記カムの回転軸と直交する断面で、前記カムが移動された後に前記作動用要素が前記カムと接触状態になる最終箇所において、前記細長い部分の最終角度位置が、前記カムの回転軸と直交する断面内で前記カムが移動される前に前記作動用要素が前記カムと接触状態にあった初期箇所における前記細長い部分の初期角度位置と異なるように構成されている、請求項１記載の往復動圧縮機。
【請求項３】
前記制御機は、
前記角度変位を受けったときに前記カムを前記回転軸に沿って移動させるように構成された作動機構と、
前記本体の外部に配置されるとともに前記作動機構に前記角度変位を与えるように構成されたカム位置作動機と、
を備えている、請求項１または請求項２記載の往復動圧縮機。
【請求項４】
前記作動機構は、
前記角度変位に従って回転するように構成されるとともに、一方の端部が前記本体の外側になり、前記一方の端部が前記カム位置作動機に接続され、別の端部が前記本体の内側になるように取り付けられたカム位置作動シャフトと、
前記本体の内部に配置されるとともに前記カム位置作動シャフトの前記別の端部と接触させているカムホルダスライドであって、前記カム位置作動シャフトを回転させたときに前記カムの前記回転軸と実質的に平行に直線変位させるように前記カム位置作動シャフトに結合されているカムホルダスライドと、
前記カムホルダスライドと接触して取り付けられるとともに、前記カムホルダスライドが前記直線変位するとき圧縮サイクル中にカムを回転させるカムシャフトを基準として長手方向に前記カムと一緒に移動するように構成されたカムホルダと、
を含む、前記請求項のいずれか１項記載の往復動圧縮機。
【請求項５】
圧縮サイクル中に前記カムを回転させるように構成されたカムシャフトをさらに備えており、
前記制御機は、前記カムシャフトを基準として前記カムを選択的に回転させるように構成されこれにより前記作動用要素が前記カムと接触している箇所における前記細長い部分の角度位置を変更しており、前記制御機は、
前記本体の外部に配置されるとともに角度変位を与えるように構成されたカム位置作動機と、
前記角度変位に従って回転するように構成されるとともに、一方の端部が前記本体の外側になり、前記一方の端部が前記カム位置作動機に接続され、別の端部が前記本体の内側になるように取り付けられたカム位置作動シャフトと、
前記本体の内部に配置されるとともに前記カム位置作動シャフトの前記別の端部と接触しているカムホルダスライドであって、前記カム位置作動シャフトを回転させたときに前記カムの前記回転軸と実質的に平行に直線変位させるように前記カム位置作動シャフトに結合されたカムホルダスライドと、
前記カムホルダスライドと接触して取り付けられるとともに、前記カムホルダスライドが前記直線変位するときに前記カムシャフトを基準として前記カムと一緒に回転するように構成されたカムホルダと、
を備えている、前記請求項のいずれか１項記載の往復動圧縮機。
【請求項６】
前記制御機はさらに前記弁が開放状態にある時間間隔を調整するように構成されている、前記請求項のいずれか１項記載の往復動圧縮機。
【請求項７】
前記制御機は、各圧縮サイクル中に前記作動用要素が前記カムの前記細長い部分と接触状態にある第１の角速度とこれ以外の第２の角速度との少なくとも２つの異なる角速度値を有するように前記回転軸周りで回転する前記カムの角速度を制御することによって前記時間間隔を調整する、前記請求項のいずれか１項記載の往復動圧縮機。
【請求項８】
前記カムは前記細長い部分が及ぶ角度が前記回転軸に沿って変わるように構成されたプロファイルを有しており、
前記制御機は、前記ステムが前記カムと接触している箇所で、前記細長い部分が前記移動後に、前記移動前に及んでいた初期角度と異なる最終角度に及ぶようにして前記カムの前記回転軸に沿った移動を開始させるように構成されている、
前記請求項のいずれか１項記載の往復動圧縮機。
【請求項９】
往復動圧縮機のカム作動式弁の開放時間を調整する方法（１０００）であって、
カムの回転軸に沿った断面において、（１）細長い部分の角度位置と（２）前記細長い部分が及ぶ角度のうちの少なくとも一方が滑らかに変化するような構成のプロファイルを有するカムを設けるステップ（Ｓ１０１０）と、
前記カム回転軸に沿ったシャフトの前記カムと接触が維持される位置を変化させ、この変化後に（１）前記カムの前記細長い部分が前記カムの前記細長い部分の初期角度位置と異なる最終角度位置に来るようにすること、および（２）前記細長い部分が及ぶ最終角度が前記細長い部分が及ぶ初期角度と異なるようにすることのうちの少なくとも一方を達成するステップ（Ｓ１０２０）と、
を含む方法（１０００）。
【請求項１０】
流体の往復動圧縮機（９００）の圧縮室（９２２）に向かう流路または前記圧縮室（９２２）からの流路に配置させた弁（９３２）を作動させるのに使用可能なカム機構（３００、８００）であって、
前記往復動圧縮機の回転軸（３２５、４２５、８２５）周りで回転し各圧縮サイクル中に回転を実行するように構成されている、その外側壁がその回転軸と平行でないプロファイルを有するカム（３４０、４４０、８４０）と、
前記弁を開放状態に切替えるために前記カムの前記細長い部分による直線変位または角度変位を受けるように構成された作動用要素（３６５、８６５）と、
各圧縮サイクル中の前記弁が開かれる時点を調整するように構成された制御機（３３０、８３０）と、
を備えるカム機構。
【請求項１１】
流体を圧縮するために圧縮サイクルを実行するように配設された往復動圧縮機であって、
流体がその内部で圧縮される圧縮室（９２２）を含む本体（３１０、８１０、９１０）と、
請求項１０に従ったカム機構と、
を備える往復動圧縮機。
【請求項１２】
請求項１０に従ったカム機構を含む請求項１乃至請求項８のいずれか１項記載の往復動圧縮機。
【発明の詳細な説明】
【技術分野】
【０００１】
本明細書に開示した主題の実施形態は一般的には往復動圧縮機で使用されるカム作動式弁に関し、より詳細には、圧縮サイクルの時間範囲の中でカム作動式弁が開放される時点を変更するためおよび／またはカム作動式弁が開放状態にある間の時間間隔を変更するための機構に関する。
【背景技術】
【０００２】
圧縮機は、流体の圧力を上昇させるためにエンジン、タービン、発電、冷熱用途、石油およびガス処理（ｏｉｌ  ａｎｄ  ｇａｓ  ｐｒｏｃｅｓｓｉｎｇ）、その他で使用されている。石油およびガス産業で使用される圧縮機に関して考慮しなければならない具体的な点の１つは、圧縮された流体は腐食性かつ可燃性であることが多いことである。石油およびガス産業で使用される装置に関する認定工業標準を設定する組織である米国石油協会（Ａｍｅｒｉｃａｎ  Ｐｅｔｒｏｌｅｕｍ  Ｉｎｓｔｉｔｕｔｅ：ＡＰＩ）は、往復動圧縮機に関する最低要件からなる全体組を一覧しているＡＰＩ６１８という文書を発行している（本文書の２０１１年６月版を参照により本明細書に含めるものとする）。したがって本明細書で検討する弁および圧縮機は、これらの要件に準拠すべきものと考えられる。換言すると、たとえば自動車産業などの他の産業で使用される弁や圧縮機は、当業者であれば石油およびガス産業で使用される弁や圧縮機と類似するものとは考えないであろう。
【０００３】
従来、往復動圧縮機で使用される弁は、その両端の圧力差によって閉鎖状態（すなわち、流体の通過を妨げている状態）と開放状態（すなわち、流体の通過を許容している状態）の間で切替えられる自動弁であった。自動弁の代わりに作動式弁を用いることは、弁によって占有されるクリアランス容積（すなわち、圧縮した流体をそこから放出することができない圧縮室容積の一部）が自動式弁と比較して低減されるという恩恵を有する。しかしこれらの圧縮機の作動には、目下利用可能な作動機を特徴付けるパラメータのそれぞれの範囲と比べて大きな力、大きな変位および短い応答時間が要求される。
【０００４】
要求される大きな力および短い作動時間を提供するために利用し得る機構の１つでは、連続して回転させたカムを用いている。この従来式の機構に関する問題点の１つは、圧縮サイクル中に弁を開く時点および弁が開放状態にある時間間隔が、回転によって弁を作動させる変位を生じさせているカムの細長い部分の角度位置および角度スパンに基づいて固定的に決定されることである。
【０００５】
往復動圧縮機において、圧縮サイクル中にカム作動式弁を開く時点および／または弁が開放状態にある時間間隔の調整を可能とさせるようなカム作動式弁のための弁アセンブリおよび方法を提供することが望ましい。
【０００６】
幾つかの実施形態は、カム作動式弁に関するタイミング（すなわち、圧縮サイクル中に弁を開く時点および／または弁が開放状態にある時間間隔）の調整を可能にしたカムを含む弁作動機構および関連する方法を提供する。弁タイミングの調整を可能にすることによって柔軟性という利点が提供され、これによって異なる作用流体および／または圧縮条件に対する圧縮サイクルの最適化が可能となる。
【先行技術文献】
【特許文献】
【０００７】
【特許文献１】国際公開第２００７／１４０２８３号
【発明の概要】
【０００８】
例示的な一実施形態によれば、流体を圧縮するために圧縮サイクルを実行するように構成された往復動圧縮機が設けられている。本往復動圧縮機は、（Ａ）流体がその内部で圧縮される圧縮室を含む本体と、（Ｂ）細長い部分を有しており、この本体の内部に配置されるとともに回転軸周りで回転し各圧縮サイクル中に回転を実行するように構成されたカムと、（Ｃ）この本体の内部に配置されるとともにカムの細長い部分による直線変位または角度変位を受けるように構成された作動用要素と、（Ｄ）流体の圧縮室に向かう流路または圧縮室からの流路に配置されるとともに作動用要素によって開放状態に切替えられるように構成された弁と、を含む。本往復動圧縮機はさらに、圧縮サイクル中の弁が開かれる時点を調整するように構成された制御機を含む。
【０００９】
別の例示的実施形態によれば、圧縮サイクルを実行するように構成された往復動圧縮機が設けられている。本往復動圧縮機は、（Ａ）流体がその内部で圧縮される圧縮室を含む本体と、（Ｂ）細長い部分を有している、この本体の内部に配置されるとともに回転軸周りで回転し各圧縮サイクル中に回転を実行するように構成されたカムと、（Ｃ）この本体の内部に配置されるとともに回転軸を基準とした直線移動を実行するためにカムとの接触状態が維持されるように構成されたステムと、（Ｄ）このステムの直線運動により開放状態と閉鎖状態の間で切替えられるように構成された弁と、を有する。本往復動圧縮機はさらに、圧縮サイクルの期間内で弁が開放状態にある時間間隔を調整するように構成された制御機を含む。
【００１０】
別の例示的実施形態によれば、往復動圧縮機の弁のタイミングを調整する方法が設けられている。本方法は、（１）細長い部分の角度位置と（２）細長い部分が及ぶ角度のうちの少なくとも一方がカムの回転軸に沿って滑らかに変化するように構成されたプロファイルを有するカムを設けるステップを含む。本方法はさらに、シャフトのカムとの接触状態が維持されるカム回転軸に沿った位置を変化させ、変化後において（１）カムの細長い部分がこのカムの細長い部分の初期角度位置と異なる最終角度位置に来るようにさせること、および（２）細長い部分が及ぶ最終角度をこの細長い部分が及ぶ初期角度と異ならせること、のうちの少なくとも一方を達成させるようにするステップを含む。
【００１１】
別の例示的実施形態によれば、流体の往復動圧縮機の圧縮室に向かう流路またはこの圧縮室からの流路に配置された弁の作動に使用可能なカム機構が設けられている。本カム機構は、回転軸周りで回転し各圧縮サイクル中に回転を実行するように構成されるとともに、カムの外側壁がその回転軸と平行でないようなプロファイルを有するカムを含む。本カム機構はさらに、弁を開放状態に切替えるためにカムの細長い部分による直線変位または角度変位を受けるように構成された作動用要素を含む。本カム機構はさらに、圧縮サイクル中の弁が開かれる時点を調整するように構成された制御機を含む。
【００１２】
添付の図面は、本明細書に組み込まれるとともにその一部をなしており、１つまたは複数の実施形態を図示しているとともに、本説明を一緒になってこれらの実施形態を解説している。
【図面の簡単な説明】
【００１３】
【図１】例示的なある実施形態による作動アセンブリの概要図である。
【図２】例示的なある実施形態によるカム機構の図である。
【図３】例示的なある実施形態によるカム機構の概要図である。
【図４】例示的なある実施形態による非従来型の３次元カムプロファイルの図である。
【図５】例示的なある実施形態による弁が開かれる時点を変更することの効果を例証したグラフである。
【図６Ａ−６Ｂ】別の例示的実施形態による非従来型の３次元プロファイルを有するカムの断面図である。
【図７】例示的なある実施形態による弁が開放状態にある時間間隔を変更することの効果を例証したグラフである。
【図８Ａ−８Ｂ】別の例示的実施形態によるカム機構の概要図である。
【図９】別の例示的実施形態による往復動圧縮機の概要図である。
【図１０】例示的なある実施形態による往復動圧縮機の弁を開放するタイミング特性を調整する方法を示した流れ図である。
【発明を実施するための形態】
【００１４】
例示的な実施形態に関する以下の説明では添付の図面を参照する。図面が異なっていても同じ参照番号によって同じ要素または同様の要素を特定している。以下の詳細な説明は本発明を限定するものではない。そうではなく本発明の範囲は添付の特許請求の範囲によって規定されるものである。以下の実施形態は簡便とするために、石油およびガス産業で使用される往復動圧縮機向けのカム作動式弁に関する用語および構造に関して検討することにする。しかし次で検討する実施形態はこれらの圧縮機を限定するものではなく、他の圧縮機に応用されることもあり得る。
【００１５】
本明細書の全体を通じて「一実施形態」や「ある実施形態」に対する言及は、ある実施形態に関連して記載したある特定の特徴、構造または特性が開示した主題の少なくとも１つの実施形態の中に含まれることを意味している。したがって、本明細書の全体を通じた様々な箇所に「一実施形態では」や「ある実施形態では」という表現が出現しても、必ずしも同じ実施形態を指しているとは限らない。さらにこの特定の特徴、構造または特性は１つまたは複数の実施形態の中で適当な任意の方式で組み合わされることがある。
【００１６】
以下に記載する実施形態の目的の１つは、調節可能なタイミングを備えた往復動圧縮機向けのカム作動式弁ならびに関連する方法を提供することである。石油およびガス産業において、作動機１１０は多くの場合に電気モータとなっており、図１に示したように作用流体（可燃性のこともある）と接触させないために圧縮機本体１３０の外部に配置させることが好ましい。シャフト１２０（回転させることも直線的に移動させることもある）は、作動機１１０により生成された作動運動を伝達するために圧縮機本体１３０を貫通する。
【００１７】
図２は、たとえば往復動圧縮機の各圧縮サイクル中に１回の全回転を実行するなど回転軸２２０周りで連続して回転し得るカム２１０を含むカム機構２００を示している。カム２１０は、回転軸２２０から離れるように延びる細長い部分２１５（すなわち、細長い部分２１５の任意の点から回転軸２２０までの距離がカム２１０の残りの部分の半径Ｒより大きな部分）を有する。ステム２３０は、軸２３５に沿った向きを保ったままでカムの外周との接触を維持する。ステム２３０は、ステム２３０の反対側端部の圧力差による戻し力によって、またはばねと同様に単純なものとし得る（ただし、様々な他の実施形態を有することもあり得る）ような別の戻し機構によってカム２１０の方向に押すことができる。カム２１０が回転する間にステム２３０は、直線運動を行い、この間にステム２３０は回転軸２２０から離れるように押され、次いで回転軸２２０の方向に摺動して戻る。この直線運動は、リニア弁を作動するために使用されることがあり、あるいはロータリ弁を作動するために角度変位に変換されることもある。
【００１８】
図３は、往復動圧縮機のリニア弁を作動させるのに使用可能な機構３００の概要図である。作動機３２０と３３０（たとえば、電気モータ）は、それぞれ回転運動と角度変位を提供するように構成されており、圧縮機本体３１０の外部に位置する。
【００１９】
カム作動機３２０は、回転軸３２５の周りで角速度ωによって特徴付けられる回転運動を提供する。この回転運動は、圧縮機本体３１０を貫通するカムシャフト３５０を介してカム３４０に伝えられる。カムシャフト３５０が圧縮機本体３１０を貫通する箇所において、封止３４５によって往復動圧縮機３１０の作用流体がその外部に漏れるのを防止する。カム３４０は、各圧縮サイクル中に回転を実行させる。
【００２０】
弁ステム３６５はカム３４０の外周と接触するように維持される。カム３４０が回転する際に、弁ステム３６５は回転軸３２５を基準とした（弁ステム３６５上にある上下矢印で示したような）直線運動を実行する。すなわち、カム３４０の細長い部分が弁ステム３６５の方向に向けられ軸３２５の下側にあるとき（実線を用いて示す）、弁ステム３６５は軸３２５からさらに遠ざけられる。細長い部分が反対方向に向けられ、弁ステム３６５から離れて軸３２５の上側にあるとき（破線を用いて示す）、弁ステムは軸３２５に近づく。
【００２１】
往復動圧縮機が圧縮サイクルを実行している間に、カムホルダ３５５に取り付けられたカム３４０はカムシャフト３５０を基準として固定の長手方向および軸方向位置にある。しかし往復動圧縮機が圧縮サイクルを実行していない間は、カム３４０とカムホルダ３５５はカムシャフト３５０を基準として移動することができる。
【００２２】
一実施形態では、カムホルダ３５５の内表面上とカムシャフト３５０の外表面上に入り組んだ軸方向溝３６０を存在させることによって長手方向シフトが可能となる。カムシャフト３５０を基準としてカム３４０の長手方向位置を変更した結果、弁ステム３６５とカム３４０の接触点３６６が位置Ａと位置Ｂの間の範囲内でカム３４０に沿って移動する。
【００２３】
カムホルダスライド３７０がカム位置作動機３３０により生成される角度変位のために長手方向に移動するとき、カムホルダ３５５は長手方向に（すなわち、軸３２５と平行に）移動する。カム位置作動機３３０は、カムホルダスライド３７０の直線変位をトリガする角度変位の作動を開始させるように構成された制御機３３１を含む（または、制御機３３１による制御を受ける）。カム位置作動機３３０は、圧縮機本体３１０を貫通するカム位置作動シャフト３３５を回転させる。カム位置シャフト３３５が本体３１０を貫通する箇所において、封止３７５によって往復動圧縮機の内部の流体がその外部に漏れるのを防止する。カム位置作動シャフト３３５の回転は、カム位置作動シャフト３３５とカムホルダスライド３７０の間に結合３８０（たとえば、シャフト３３５上の雄ねじとカムホルダスライド３７０上の雌ねじ）が存在するため、カムホルダスライド３７０の長手方向変位（左と右の矢印で示す）に変換される。ガイド片３８５は、カムホルダスライド３７０および圧縮機本体３１０の内側壁と整合している。作動機３３０、カム位置作動シャフト３３５、カムホルダスライド３７０、ガイド片３８５およびカムホルダ３５５が、弁が開かれる時点を調整するように構成された制御機のすべての構成要素であると考えることもできる。
【００２４】
この実施形態によれば、カム３４０は図４に示したような非従来型の３次元プロファイルを有し、これによりカム４４０の回転軸４２５を含む幾つかの断面においてカムの外側壁がその回転軸と平行でないようにしている。従来、カムは、回転軸を含む断面のすべてにおいてその回転軸と実質的に平行な外側壁を有している。
【００２５】
カム４４０の回転軸４２５と直交する断面において、回転軸４２５がこの断面と交わる点と回転軸４２５から最も遠くにあるカムの外周上の点とを結んだ線を考えてみる。この断面における細長い部分４４１の角度位置は、この線の基準方向（基準方向は断面と独立である）に対する角度となる。
【００２６】
図４におけるカム４４０の細長い部分４４１の角度位置は回転軸４２５に沿って異なる断面ごとに様々である。たとえばカムプロファイルの右側で回転軸４２５と直交する断面では、線４４２によって点Ｏ（回転軸４２５がこの断面と交わる点）と点Ｏから最も遠くにあるカムの外周上の点である点４４３とが結ばれている。基準方向が線４４２と平行な線４４４である場合、カム４４０の右側の断面における細長い部分４４１の角度位置は０である。カム４４０の左側で回転軸４２５が断面と交わる点Ｏ’とこの左側断面で回転軸４２５から最も遠くにあるカムの外周上の点４４３’とを結ぶ線４４２’と線４４６が平行である場合、左側断面における細長い部分４４１の角度位置はΦである。細長い部分４４１の角度位置は、カムの長さ方向において異なる断面ごとに０とΦの間で滑らかに変動している。この細長い部分は、従来のカムの長さ方向ではすべての断面に関して同じ１つの角度位置を有する。
【００２７】
この非従来型の３次元プロファイルのために、カムの回転軸と直交する断面の弁ステム３６５との接触点においてカム３４０をその回転軸に沿ってシフトさせたとき、カムをシフトさせ終った後の細長い部分の最終角度位置はその初期角度位置（カムをシフトさせる前）と異なっている。
【００２８】
図５は、弁が開かれる時点に対して細長い部分の角度位置の変化が与える効果をグラフで示している。グラフのｘ軸は圧縮サイクル中（圧縮機の各サイクル中にクランクシャフトが１回の全回転０〜３６０をする）の時間に対応するクランク角の角度値を表している。グラフのｙ軸は弁の状態を示している。カム位置をその軸に沿って調整する前では、弁は実線５１０で示したようにある所定の期間にわたって開いたままである。カム位置が回転軸に沿ってシフトして細長い部分の角度位置が変化したとき、弁は同じ時間期間にわたって開いたままであるが、破線５２０で示したように、カムをシフトさせる前に開いていた時点と異なるその工程中の別の時点で開く。したがって、細長い部分の角度位置を調整することによって弁が開かれる時点が調整される。
【００２９】
別の実施形態によれば、カム３４０は従来のプロファイルを有しているが、上述の実施形態の軸方向溝をはすば歯車３６０に置き換えることによってカムシャフト３５０を基準として回転させることができる。はすば歯車３６０は、カムシャフト３５０とカムホルダ３５５の間に配置させるとともに、（たとえば、カムホルダスライド３７０によって押される）カムホルダ３５５の並進をカムシャフト３５０を基準としたその回転に変換している。このケースでは、カムホルダ３５５とカムホルダスライド３７０の間にブッシング（図示せず）を配置して通常動作時におけるはすば歯車３６０の軸方向スローを担わせることがあり、これによればカムホルダスライド３７０に接線力が伝わるのが回避される。
【００３０】
したがって圧縮サイクル中に弁が開かれる時点は、（１）カムが細長い部分の角度位置がカムの長さに沿って変化している非従来型のプロファイルを有する場合では弁ステムとカムとの接触点をカムの長さ方向に移動させることによって、または（２）はすば歯車によってカムにカムシャフトを基準とした角度変位を有させることが可能な場合では通常のカムの細長い部分の角度位置を変化させることによって調整することができる。
【００３１】
別の実施形態によればカム６４０は、その外側壁が同じく回転軸と平行でない別のタイプの非従来型プロファイルを有することがある。カム６４０の場合、カムの細長い部分が及ぶ角度はカムの長さ方向で変わる。細長い部分が及ぶ角度は、カムの外周上において細長い部分（外周上の点から回転中心Ｏまでの距離がカムの半径より大きくなるところ）をカムの残りの部分から分けている点を結んだ線によって規定される。図６Ａは細長い部分が第１の角度α1に及ぶカム６４０の回転軸と直交する断面を示しており、また図６Ｂは細長い部分がα1より大きい第２の角度α2（α1＜α2）に及ぶカムの別の断面を示している。細長い部分が及ぶ角度は、カム６４０の長さ方向で滑らかに（すなわち、階段状でなく）変動している。これに対して従来のカムは、外側壁が回転軸と平行でありかつ細長い部分が及ぶ角度がその長さ方向で一定であるようなプロファイルを有する。
【００３２】
カムが一定の角速度で回転する場合、細長い部分が及ぶ角度の差が図７にグラフで示したように弁が開放状態にある時間間隔の差を生じさせる。図７のグラフの軸は、図５のグラフのもとの同じ意味である。実線７１０は、細長い部分が第１の角度α1に及ぶ部分に弁ステムのカムとの接触点がある場合に弁が開放状態にある時間間隔に対応する。破線７２０は、カムの細長い部分が第２の角度α2に及ぶ部分に弁ステムのカムとの接触点がある場合における弁が開放状態にある時間間隔に対応する。
【００３３】
一実施形態ではその細長い部分がカムの長さに沿って同じ角度位置を有する一方、細長い位置が及ぶ角度はカムの長さに沿って変わる。
【００３４】
しかし他の実施形態ではその非従来型のプロファイルは、（カムの長さ方向に沿った）細長い位置の角度位置の変動と細長い部分が及ぶ角度の変動とを組合せることがある。
【００３５】
圧縮サイクル中に弁が開いたままとなった時間間隔の変更はまた、通常のカムの角速度を変動させること（たとえば、弁ステムがその細長い部分と接触している間にカムを平均角速度と比べてよりゆっくりとまたはより速く回転させること）によって達成させることがある。圧縮サイクルの持続時間は同じままであるため、弁ステムがその細長い部分と接触していない間でカムは平均角速度と比べてそれぞれより速くまたはよりゆっくりと回転する。すなわち各圧縮サイクル中において、回転軸の周りにおけるカムの回転運動の角速度は少なくとも２つの異なる値を有することになる。このケースでは、制御機は、カムに回転を生じさせる作動機（たとえば、電気モータ）を制御する。制御機は、この作動機の内部に配置させても、この作動機に接続されてもよい。カムの角速度の変動によって、一定回転のカムを使用して解決させていた短い作動時間と大きな力という技術的難題が復活したように見える。しかし角速度を変動させるために要する力は、静止状況から直線変位や角度変位を生じさせるのに必要な力より小さい。
【００３６】
図８Ａおよび８Ｂに示した別の例示的実施形態によれば、ロータリ弁作動機構８００は圧縮機本体８１０の外部に配置された作動機８２０および８３０（たとえば、電気モータ）を含む。カム作動機８２０は、圧縮機本体８１０のカバー８１５を貫通するカムシャフト８５０を回転させる。カムシャフト８５０がカバー８１５を貫通する箇所において封止８４５によって作用流体の圧縮機本体８１０の外部への漏れを防止する。カムシャフト８５０は軸８２５の周りの回転運動をカム８３５および８４０に伝える。カム８３５および８４０は各圧縮サイクル中に回転を実行する。
【００３７】
カム８３５および８４０が回転している間に、その細長い部分は図８Ｂに示した方式でアーム８６５および８６９のそれぞれを移動させる。カム８３５と８４０の細長い部分は、弁ロータ（図示せず）に接続された弁シャフト８６８を有するロータリ弁の開放および閉鎖を達成させるようにアーム８６５と８６９を圧縮サイクル中に異なる時点で移動させている。カム８４０とアーム８６５はそれぞれ、開放用カムと開放用アームと呼ぶこともある。カム８３５とアーム８６９はそれぞれ、閉鎖用カムと閉鎖用アームと呼ぶこともある。
【００３８】
往復動圧縮機が圧縮サイクルを実行している間に、カムホルダ８５５に取り付けられたカム８４０はカムシャフト８５０に沿った固定の位置にある。しかし往復動圧縮機が圧縮サイクルを実行していない間は、カム８４０とカムホルダ８５５がカムシャフト８５０を基準として移動させることができる。
【００３９】
図３に関連して記載した実施形態と同様に、カム８４０が図４に示したような非従来型の３Ｄプロファイルを有する場合は、カムホルダ８５５上の軸方向溝８６０とカムシャフト８５０によって、カム８４０およびカムホルダ８５５の回転軸８２５に沿ったシフトが可能となる。別法としてカム８４０が従来のプロファイルを有する場合、カムホルダ８５５とカムシャフト８５０の間のはすば歯車８６０によってカム８４０およびカムホルダ８５５をカムシャフト８５０を基準として回転させることが可能である。カムホルダ８５５は往復動圧縮機が圧縮サイクルを実行している間は移動しておらず、したがってカムシャフト８５０を基準としたカム８４０の位置が維持される。いずれの代替的実施形態においても、カムシャフトを基準としたカム８４０の（長手方向または角度方向の）位置を変化させた結果として、弁が開かれる時点の変更が得られる。
【００４０】
カムホルダ８５５とカム８４０は、カムホルダスライド８７０がカム位置作動機８３０によって生成された角度変位によって長手方向に移動されるときにカムシャフト８５０を基準として移動する。カム位置作動機８３０は、カムホルダスライド８７０の直線変位をトリガする角度変位の作動を開始させるように構成された制御機８３１を含む（または、制御機８３１による制御を受ける）。
【００４１】
カム位置作動機８３０は、カバー８１５を貫通するカム位置作動シャフト８７３を回転させている。カム位置作動シャフト８７３がカバー８１５を貫通する箇所において、封止８７５によって往復動圧縮機内部の流体のその外部への漏れを防止する。カム位置作動シャフト８７３とカムホルダスライド８７０の間に結合８８０が存在するため、カム位置作動シャフト８７３の角度変位はカムホルダスライド８７０の長手方向変位（左と右の矢印で示す）に変換される。ガイド片８８５は、カムホルダスライド８７０および圧縮機本体８１０の内側壁と整合している。
【００４２】
したがって、カムシャフト８５０を基準としたカム８４０の長手方向位置または角度位置が変更されると、弁が開かれる時点が変更される。図８Ａに示した実施形態では、弁が閉じられる時点は同じままであり、したがって弁が開かれる時点のこの変更によってさらに弁が開放状態にある時間間隔も修正される。
【００４３】
しかし別の実施形態によれば、弁が開かれる時点の調整のための上で検討した機構と同様の機構を弁が閉じられる時点を調整するために存在させることがある。このケースでは、弁が開かれる時点と弁が閉じられる時点の一方または両方を変更することによって、弁が開放状態にある持続時間を調整するまたはシフトだけさせることが可能である。
【００４４】
上述のようなタイミング調整を可能としたカム機構により作動させる弁は図９に示したような２室式往復動圧縮機９００で使用することができる。しかしカムを含む機構により作動させる弁はまた、単室往復動圧縮機でも使用することができる。
圧縮機９００は、圧縮機本体９１０を有する２室式往復動圧縮機である。圧縮機９００の圧縮室９２２および９２４の内部で圧縮が行われる。第１の圧力Ｐ1を有する作用流体は、吸引弁９３２または９３４が開いているときに入口９３０を通って圧縮室９２２および９２４の内部に流れ込む。第２の圧力Ｐ2＞Ｐ1を有する圧縮済み流体は放出弁９４２または９４４が開いているときに出口９４０を通って圧縮室９２２および９２４から放出される。ヘッド端部９２６とクランク端部９２８の間でのピストン９５０の前後方向移動によって流体圧縮が行われる。圧縮室９２２および９２４は、循環圧縮工程の異なるフェーズで動作しており、圧縮室９２２の容積は圧縮室９２４の容積がその最高値にあるときにその最低値であり、この逆も成り立つ。ピストン９５０は、たとえばクロスヘッド（図示せず）およびピストンロッド９８０を介してクランクシャフト（図示せず）から受け取ったエネルギーによって動いている。図９では弁９３２、９３４、９４２および９４４が圧縮本体の側壁９２０上に配置されるようにして示している。しかし弁９３２、９４２、９３４および９４４は、それぞれヘッド端部９２６および／またはクランク端部９２８の上に配置されることもある。
【００４５】
自動弁（弁の可動部の相対する側の圧力差に応じて開放と閉鎖が切替えられるもの）と異なり、弁９３２は図９の機構９３７から角度変位を受けったときに開くカム作動式ロータリ弁である。機構９３７はカム（図示せず）を含んでおり、またロータリ弁９３２を開放および閉鎖するために弁ステムに角度変位を与えるように構成されている図８Ａおよび８Ｂに示した機構８００と同様とすることがある。代替的な一実施形態ではロータリ弁に代えて、図３の機構３００と同様の機構によってリニア弁を作動させることがある。
【００４６】
往復動圧縮機９００の１つまたは複数の弁をカム作動式弁とすることがある。幾つかの実施形態は、カム作動式弁と自動弁の組合せを含むことがあり、カムのすべてをカム作動式とした場合であってもカムのうちの幾つかだけを弁のタイミングが調整できるように構成させている。たとえば吸引弁（たとえば、９３２、９３４）を弁のタイミングを調整できるように構成されたカム作動式弁とすることがある一方、放出弁（たとえば、９４２、９４４）を自動弁とすることがある。
【００４７】
機構９３７は、弁９３２を作動させるように構成される以外に、圧縮サイクル中の弁が開かれる時点および／または弁が開放状態にある時間間隔を変更できるようにも構成されている。
【００４８】
図１０は、例示的なある実施形態に従った往復動圧縮機の弁を開放するタイミング特性を調整する方法１０００の流れ図である。方法１０００は、（１）細長い部分の角度位置と（２）細長い部分が及ぶ角度のうちの少なくとも一方が回転軸に沿って滑らかに変化するように構成された３次元プロファイルを有するカムを設けるＳ１０１０のステップを含む。さらに方法１０００は、弁ステムがカムの外周と接触状態にある回転軸に沿った位置を変更し、変更後において（１）カムの細長い部分がこのカムの細長い部分の初期角度位置と異なる最終角度位置に来るようにさせること、および（２）細長い部分が及ぶ最終角度がこの細長い部分が及ぶ初期角度と異なるようにさせること、のうちの少なくとも一方を達成するＳ１０２０のステップを含む。
【００４９】
方法１０００はさらに、細長い部分の角度位置を変更するためにカムに回転運動を伝えるように構成されカムシャフトを基準としてカムを回転させるステップを含むことがある。さらに方法１０００は、各圧縮サイクル中に少なくとも２つの異なる角速度値を有するように回転軸の周りに回転するカムの角速度を変更することによって直線運動の持続時間を変更するステップを含むことがある。
【００５０】
開示した例示的実施形態は、石油およびガス産業で使用される往復動圧縮機において弁を作動するためのカムを含む弁アセンブリおよび関連する方法を提供する。本説明は発明の限定を意図していないことを理解すべきである。反対にこれらの例示的な実施形態は添付の特許請求の範囲によって規定したような本発明の精神および範囲に含まれる代替形態、修正形態および等価形態を包含させるように意図している。さらに例示的な実施形態に関する詳細な説明では、特許請求した発明の包括的理解を提供するために特定の数値的詳細を示している。しかし、様々な実施形態をこうした特定の詳細を用いずに実施し得ることは当業者であれば理解されよう。
【００５１】
この例示的実施形態の特徴および要素をこれらの実施形態の中において特定の組合せで説明しているが、各特徴や要素はこれらの実施形態の他の特徴や要素を用いずに単独で使用することも、本明細書に開示した他の特徴や要素と様々に組合せてまたはこれら他の特徴や要素を用いずに使用することも可能である。
【００５２】
記載したこの説明では、任意のデバイスやシステムの製作および使用ならびに組み込んだ任意の方法を実行することを含め当業者によるその実施を可能とさせるために開示した主題に関する例を用いている。本主題の特許性のある範囲は本特許請求の範囲で規定しており、当業者によって行われる他の例を含むことができる。こうした他の例も本特許請求の範囲の域内にあるように意図している。
【符号の説明】
【００５３】
１１０  作動機
１２０  シャフト
１３０  圧縮機本体
２００  カム機構
２１０  カム
２１５  細長い部分
２２０  回転軸
２３０  ステム
２３５  軸
３００  リニア弁を作動させるのに使用可能な機構
３１０  圧縮機本体
３２０  作動機
３２５  回転軸
３３０  作動機
３３５  シャフト
３４０  カム
３５０  カムシャフト
３５５  カムホルダ
３６５  弁ステム
３６６  弁ステムとカムの接触点
３７０  カムホルダスライド
３８０  カム位置作動シャフトとカムホルダスライドの間に結合
３８５  ガイド片
４２５  回転軸
４４０  カム
４４１  カムの細長い部分
４４２  線
４４２’  線
４４３  カム外周上の点
４４３’  カム外周上の点
４４４  線
４４６  線
６４０  カム
８００  ロータリ弁作動機構
８１０  圧縮機本体
８１５  カバー
８２０  作動機
８２５  軸
８３０  作動機
８３１  制御機
８３５  カム
８４０  カム
８４５  封止
８５０  カムシャフト
８５５  カムホルダ
８６０  はすば歯車
８６０  軸方向溝
８６５  アーム
８６８  弁シャフト
８６９  アーム
８７０  カムホルダスライド
８７３  カム位置作動シャフト
８７５  封止
８８０  カム位置作動シャフトとカムホルダスライドの間に結合
８８５  ガイド片
９００  デュアル往復動圧縮機
９１０  圧縮機本体
９２０  圧縮本体の側壁
９２２  圧縮室
９２４  圧縮室
９２６  ヘッド端部
９２８  クランク端部
９３０  入口
９３２  ロータリ弁
９３２  吸引弁
９３４  吸引弁
９３７  機構
９４０  出口
９４２  放出弁
９４４  放出弁
９５０  ピストン
【図１】
2019215005.tif 000003
【図２】
2019215005.tif 000004
【図３】
2019215005.tif 000005
【図４】
2019215005.tif 000006
【図５】
2019215005.tif 000007
【図６Ａ−６Ｂ】
2019215005.tif 000008
【図７】
2019215005.tif 000009
【図８Ａ−８Ｂ】
2019215005.tif 000010
【図９】
2019215005.tif 000011
【図１０】
2019215005.tif 000012
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
流体を圧縮するために圧縮サイクルを実行するように構成された往復動圧縮機であって、
流体がその内部で圧縮される圧縮室を含む本体と、
回転軸を有するカムシャフトと、
圧縮サイクル中に前記カムシャフトを回転するカム作動機と、
前記カムシャフトに直接的又は間接的に取り付けられ、前記カムシャフトの回転軸に垂直な断面において前記回転軸の半径方向に突出する細長い部分を有しており、前記本体の内部に配置されるとともに回転軸周りで回転し各圧縮サイクル中に回転を実行するように構成されたカムであって、前記回転軸に沿って、前記回転軸に直交する各断面における前記回転軸に対する前記細長い部分の角度位置が滑らかにシフトするように構成されたプロファイルを有するカムと、
前記本体の内部に配置されるとともに前記カムの前記細長い部分による直線変位または角度変位を受けて前記カムにより駆動されるように構成された作動用要素と、
前記流体の前記圧縮室に向かう流路または前記圧縮室からの流路に配置された弁であって、前記作動用要素に直接的又は間接的に結合され、前記作動用要素によって開放状態に切替えるように構成された弁と、
（ｉ）前記作動用要素を介して圧縮サイクル中の前記弁が開放される時点を調整し、（ｉｉ）前記カム作動機によって、各圧縮サイクル中に前記作動用要素が前記カムの前記細長い部分と接触状態にある第１の角速度とこれ以外の第２の角速度との少なくとも２つの異なる角速度値を有するように前記回転軸周りで回転する前記カムの角速度を制御することによって前記前記弁が前記開放状態となる期間である時間間隔を調整するように構成された制御機と、
を備える往復動圧縮機。
【請求項２】
前記制御機は、前記回転軸と直交する前記カムの断面において前記回転軸に対する前記細長い部分の最終角度位置が、前記回転軸に対する前記細長い部分の初期角度位置と異なるように、前記回転軸に沿って前記カムを移動するための角度変位をトリガするように構成されている、請求項１記載の往復動圧縮機。
【請求項３】
前記制御機は、
前記本体の外部に配置されるとともに前記トリガされた角度変位を発生するように構成されたカム位置作動機と、
前記カム位置作動機からの前記角度変位を受けとったときに前記カムを前記回転軸に沿って移動させるように構成された作動機構と、
を備えている、請求項２記載の往復動圧縮機。
【請求項４】
前記作動機構は、
前記カム位置作動機による前記角度変位により回転するように構成されるとともに、一方の端部が前記カム位置作動機に接続されたカム位置作動シャフトと、
前記本体の内部に配置され、前記カム位置作動シャフトを回転させたときに前記カムシャフトの前記回転軸と実質的に平行に直線変位されるように前記カム位置作動シャフトの他方の端部に直接的又は間接的に結合されているカムホルダスライドと、
前記カムホルダスライドと接触して取り付けられるとともに、前記カムを前記カムシャフトに対して保持し、前記カムシャフトを基準として前記カムと一緒に回転するように構成されたカムホルダとを含み、
前記カムホルダスライドが前記直線変位をするとき前記カムホルダが前記カムと一緒に該直線変位の方向に移動するように構成されている、
請求項３記載の往復動圧縮機。
【請求項５】
前記カムは、前記回転軸と直交する前記カムの各断面において前記細長い部分がまたがる角度が、前記回転軸に沿って変わるように構成されたプロファイルを有しており、
前記制御機は、前記作動用要素が前記カムと接触している箇所で、移動後に前記細長い部分が、当該移動前に前記細長い部分が前記回転軸に対してまたがっていた初期角度と異なる最終角度をまたぐように前記カムの前記回転軸に沿った当該移動を開始させるように構成されている、
請求項１から４のいずれか１項記載の往復動圧縮機。
【請求項６】
前記弁がリニア弁である、請求項１から５のいずれか１項記載の往復動圧縮機。
【請求項７】
前記弁がロータリ弁である、請求項１から５のいずれか１項記載の往復動圧縮機。
【手続補正２】
【補正対象書類名】明細書
【補正対象項目名】００５２
【補正方法】変更
【補正の内容】
【００５２】
記載したこの説明では、任意のデバイスやシステムの製作および使用ならびに組み込んだ任意の方法を実行することを含め当業者によるその実施を可能とさせるために開示した主題に関する例を用いている。本主題の特許性のある範囲は本特許請求の範囲で規定しており、当業者によって行われる他の例を含むことができる。こうした他の例も本特許請求の範囲の域内にあるように意図している。
以下、本発明の好ましい実施形態を項分け記載する。
実施形態１
流体を圧縮するために圧縮サイクルを実行するように構成された往復動圧縮機（９００）であって、
流体がその内部で圧縮される圧縮室（９２２）を含む本体（３１０、８１０、９１０）と、
細長い部分を有しており、前記本体（３１０、８１０）の内部に配置されるとともに回転軸（３２５、４２５、８２５）周りで回転し各圧縮サイクル中に回転を実行するように構成されたカム（３４０、４４０、８４０）と、
前記本体（３１０、８１０）の内部に配置されるとともに前記カムの前記細長い部分による直線変位または角度変位を受けるように構成された作動用要素（３６５、８６５）と、
前記流体の前記圧縮室（９２２）に向かう流路または前記圧縮室（９２２）からの流路に配置された弁（９３２）であって、前記作動用要素（３６５、８６５）によって開放状態に切替えるように構成された弁（９３２）と、
圧縮サイクル中の弁が開放される時点を調整するように構成された制御機（３３１、８３１）と、
を備える往復動圧縮機。
実施形態２
前記カムは、前記回転軸に沿った断面において前記細長い部分の角度位置が滑らかに変化するように構成されたプロファイルを有しており、
前記制御機は、前記回転軸に沿った前記カムの移動につながる角度変位を開始させ、それにより、前記カムの回転軸と直交する断面で、前記カムが移動された後に前記作動用要素が前記カムと接触状態になる最終箇所において、前記細長い部分の最終角度位置が、前記カムの回転軸と直交する断面内で前記カムが移動される前に前記作動用要素が前記カムと接触状態にあった初期箇所における前記細長い部分の初期角度位置と異なるように構成されている、実施形態１記載の往復動圧縮機。
実施形態３
前記制御機は、
前記角度変位を受けったときに前記カムを前記回転軸に沿って移動させるように構成された作動機構と、
前記本体の外部に配置されるとともに前記作動機構に前記角度変位を与えるように構成されたカム位置作動機と、
を備えている、実施形態１または実施形態２記載の往復動圧縮機。
実施形態４
前記作動機構は、
前記角度変位に従って回転するように構成されるとともに、一方の端部が前記本体の外側になり、前記一方の端部が前記カム位置作動機に接続され、別の端部が前記本体の内側になるように取り付けられたカム位置作動シャフトと、
前記本体の内部に配置されるとともに前記カム位置作動シャフトの前記別の端部と接触させているカムホルダスライドであって、前記カム位置作動シャフトを回転させたときに前記カムの前記回転軸と実質的に平行に直線変位させるように前記カム位置作動シャフトに結合されているカムホルダスライドと、
前記カムホルダスライドと接触して取り付けられるとともに、前記カムホルダスライドが前記直線変位するとき圧縮サイクル中にカムを回転させるカムシャフトを基準として長手方向に前記カムと一緒に移動するように構成されたカムホルダと、
を含む、前記実施形態のいずれか１項記載の往復動圧縮機。
実施形態５
圧縮サイクル中に前記カムを回転させるように構成されたカムシャフトをさらに備えており、
前記制御機は、前記カムシャフトを基準として前記カムを選択的に回転させるように構成されこれにより前記作動用要素が前記カムと接触している箇所における前記細長い部分の角度位置を変更しており、前記制御機は、
前記本体の外部に配置されるとともに角度変位を与えるように構成されたカム位置作動機と、
前記角度変位に従って回転するように構成されるとともに、一方の端部が前記本体の外側になり、前記一方の端部が前記カム位置作動機に接続され、別の端部が前記本体の内側になるように取り付けられたカム位置作動シャフトと、
前記本体の内部に配置されるとともに前記カム位置作動シャフトの前記別の端部と接触しているカムホルダスライドであって、前記カム位置作動シャフトを回転させたときに前記カムの前記回転軸と実質的に平行に直線変位させるように前記カム位置作動シャフトに結合されたカムホルダスライドと、
前記カムホルダスライドと接触して取り付けられるとともに、前記カムホルダスライドが前記直線変位するときに前記カムシャフトを基準として前記カムと一緒に回転するように構成されたカムホルダと、
を備えている、前記実施形態のいずれか１項記載の往復動圧縮機。
実施形態６
前記制御機はさらに前記弁が開放状態にある時間間隔を調整するように構成されている、前記実施形態のいずれか１項記載の往復動圧縮機。
実施形態７
前記制御機は、各圧縮サイクル中に前記作動用要素が前記カムの前記細長い部分と接触状態にある第１の角速度とこれ以外の第２の角速度との少なくとも２つの異なる角速度値を有するように前記回転軸周りで回転する前記カムの角速度を制御することによって前記時間間隔を調整する、前記実施形態のいずれか１項記載の往復動圧縮機。
実施形態８
前記カムは前記細長い部分が及ぶ角度が前記回転軸に沿って変わるように構成されたプロファイルを有しており、
前記制御機は、前記ステムが前記カムと接触している箇所で、前記細長い部分が前記移動後に、前記移動前に及んでいた初期角度と異なる最終角度に及ぶようにして前記カムの前記回転軸に沿った移動を開始させるように構成されている、
前記実施形態のいずれか１項記載の往復動圧縮機。
実施形態９
往復動圧縮機のカム作動式弁の開放時間を調整する方法（１０００）であって、
カムの回転軸に沿った断面において、（１）細長い部分の角度位置と（２）前記細長い部分が及ぶ角度のうちの少なくとも一方が滑らかに変化するような構成のプロファイルを有するカムを設けるステップ（Ｓ１０１０）と、
前記カム回転軸に沿ったシャフトの前記カムと接触が維持される位置を変化させ、この変化後に（１）前記カムの前記細長い部分が前記カムの前記細長い部分の初期角度位置と異なる最終角度位置に来るようにすること、および（２）前記細長い部分が及ぶ最終角度が前記細長い部分が及ぶ初期角度と異なるようにすることのうちの少なくとも一方を達成するステップ（Ｓ１０２０）と、
を含む方法（１０００）。
実施形態１０
流体の往復動圧縮機（９００）の圧縮室（９２２）に向かう流路または前記圧縮室（９２２）からの流路に配置させた弁（９３２）を作動させるのに使用可能なカム機構（３００、８００）であって、
前記往復動圧縮機の回転軸（３２５、４２５、８２５）周りで回転し各圧縮サイクル中に回転を実行するように構成されている、その外側壁がその回転軸と平行でないプロファイルを有するカム（３４０、４４０、８４０）と、
前記弁を開放状態に切替えるために前記カムの前記細長い部分による直線変位または角度変位を受けるように構成された作動用要素（３６５、８６５）と、
各圧縮サイクル中の前記弁が開かれる時点を調整するように構成された制御機（３３０、８３０）と、
を備えるカム機構。
実施形態１１
流体を圧縮するために圧縮サイクルを実行するように配設された往復動圧縮機であって、
流体がその内部で圧縮される圧縮室（９２２）を含む本体（３１０、８１０、９１０）と、
実施形態１０に従ったカム機構と、
を備える往復動圧縮機。
実施形態１２
実施形態１０に従ったカム機構を含む実施形態１乃至実施形態８のいずれか１項記載の往復動圧縮機。